(57)【要約】【課題】筐体を取り外すことなく、出力するアナログ信号を調整することが出来るアナログ信号出力装置を提供することを目的とする。【解決手段】アナログ信号出力装置が、変更指示に基づいて出力するアナログ信号のゼロ点及びスパンを変更するアナログ信号出力装置であって、外部に露出し、各種操作指示を受け付ける操作部と、前記操作部がゼロ点変更指示を受け付けると、当該ゼロ点変更指示に基づいて出力するアナログ信号のゼロ点を変更し、また前記操作部がスパン変更指示を受け付けると、当該スパン変更指示に基づいて出力するアナログ信号のスパンを変更し、そして、変更されたスパンを示すスパン値とを記憶し、この後に当該ゼロ点値及びスパン値に基づいてアナログ信号の出力値を算出する制御部と、を具備する。【選択図】図４
2010054291.tif 000002
【特許請求の範囲】
【請求項１】
出力するアナログ信号のゼロ点及びスパンを変更指示に基づいて変更するアナログ信号出力装置であって、
外部に露出し、各種操作指示を受け付ける操作部と、
前記操作部がゼロ点変更指示を受け付けると、当該ゼロ点変更指示に基づいて出力するアナログ信号のゼロ点を変更し、また前記操作部がスパン変更指示を受け付けると、当該スパン変更指示に基づいて出力するアナログ信号のスパンを変更し、そして、変更されたスパンを示すスパン値とを記憶し、この後に当該ゼロ点値及びスパン値に基づいてアナログ信号の出力値を算出する制御部と、
を具備することを特徴とするアナログ信号出力装置。
【請求項２】
前記制御部は、前記操作部がアナログ信号出力値手動調整モード遷移指示を受け付けると、アナログ信号出力値手動調整モードへ遷移し、アナログ信号出力値手動調整モードで前記操作部がゼロ点調整モード遷移指示を受け付けると、ゼロ点調整モードに遷移し、前記ゼロ点調整モードに遷移するとゼロ点の変更を許容し、またアナログ信号出力値手動調整モードで前記操作部がスパン調整モード遷移指示を受け付けると、スパン調整モードに遷移し、前記スパン調整モードに遷移するとスパンの変更を許容し、そして、前記操作部がアナログ信号出力値手動調整終了指示を受け付けると、変更されたゼロ点値及びスパン値とを記憶することを特徴とする請求項１に記載のアナログ信号出力装置。
【請求項３】
複数のチャネルのアナログ信号を出力することが出来るアナログ信号出力装置であって、
前記制御部は、アナログ信号出力値手動調整モードで前記操作部が調整対象チャネル決定指示を受け付けると、決定されたチャネルのアナログ信号の調整を許可し、当該チャネルのアナログ信号のゼロ点及びスパンを、前記操作部が受け付ける前記ゼロ点変更指示及びスパン変更指示に基づいて変更することを特徴とする請求項２に記載のアナログ信号出力装置。
【発明の詳細な説明】
【技術分野】
【０００１】
本発明は、アナログ信号を出力するアナログ信号出力装置に関する。
【背景技術】
【０００２】
現在、分散的に設置された雨量計、気圧計、温湿度計、風向風速計等のフィールド機器及び制御指示に基づいて情報の記憶等の制御処理を実行する制御処理機器と、各場所に分散的に設置されたフィールド機器からの計測結果または制御処理装置への制御指示を集中的に管理する親局装置とによって構成される情報管理システムが存在し、フィールド機器及び制御処理機器と親局装置とは、中継局装置としての機能を有する多重化信号伝送によって通信の中継が行われている。この多重化信号伝送装置は、多重化信号伝送用のケーブルを介して親局と接続し、このケーブルを介して多重化した信号を親局と送受信する。
【０００３】
そして、情報管理システムにおいて、この多重化信号伝送装置が、フィールド機器及び制御処理機器と親局との間の中継局装置として採用されることによって、フィールド機器及び制御処理機器の増減に対して柔軟に対応することが可能であり、フィールド機器及び制御処理機器の増減時の敷設工事等の経費を抑制することが出来る。例えば、多重化信号伝送装置を採用した情報管理システムとして、ダム堤体における各種計測結果の一元管理システムが存在する。当該システムでは、親局装置が配置された事務所から離れた場所に存在するダム堤体に設置された雨量計、水位計及び漏水計等の計測結果を、多重伝送装置を介して親局装置に伝送し、ユーザは事務所で親局装置を操作することによってダム堤体に関する各種計測結果を遠隔監視することが出来る。
【０００４】
そして、多重化信号伝送装置には、各種フィールド機器からアナログ信号またはデジタル信号によって情報が入力されるアナログ信号入力装置及びアナログ／デジタル信号入力装置と、制御処理装置へアナログ信号またはデジタル信号によって制御指示を出力するアナログ信号出力装置及びアナログ／デジタル信号出力装置とが存在する。アナログ信号出力装置では、出力するアナログ信号のゼロ点調整及びスパン調整を実行する為に、筐体の内部に半固定抵抗器が設けられており、この半固定抵抗器のトリマを操作することによって、出力するアナログ信号のゼロ点調整及びスパン調整を行うことが出来る。
【発明の開示】
【発明が解決しようとする課題】
【０００５】
ところで、上記従来技術におけるアナログ信号出力装置では、出力するアナログ信号におけるゼロ点調整及びスパン調整を、工場出荷時または設置工事時に、半固定抵抗器のトリマを操作することによって行うことが出来る。しかしながら、アナログ信号出力装置において、この半固定抵抗器は、ネジによって固定された筐体の中に収容されており、出力するアナログ信号におけるゼロ点調整及びスパン調整を行う為に、この筐体を取り外すという作業が必要であった。その為、ゼロ点調整及びスパン調整に要する作業時間として、半固定抵抗器のトリマを操作する時間の他に、ケースの取り外し／取り付けに要する時間が余計に掛かっていた。
【０００６】
また、アナログ信号出力装置が、筐体の取り外しを行うことが厄介な場所に設置されている場合があり、筐体の取り外しが厄介である為に設置された後からの調整が困難になることもあった。さらに、ケースを取り外すと、半固定抵抗器だけはなく、その他の電子部品も外部に露出することになる為、電子部品へのゴミ等の付着によって故障する可能性が増大する。
【０００７】
本発明は、上述した事情を鑑みたものであり、筐体を取り外すことなく、出力するアナログ信号を調整することが出来るアナログ信号出力装置を提供することを目的とする。
【課題を解決するための手段】
【０００８】
上記目的を達成するために、本発明では、アナログ信号出力装置に係る第１の解決手段として、出力するアナログ信号のゼロ点及びスパンを変更指示に基づいて変更するアナログ信号出力装置であって、外部に露出し、各種操作指示を受け付ける操作部と、前記操作部がゼロ点変更指示を受け付けると、当該ゼロ点変更指示に基づいて出力するアナログ信号のゼロ点を変更し、また前記操作部がスパン変更指示を受け付けると、当該スパン変更指示に基づいて出力するアナログ信号のスパンを変更し、そして、変更されたスパンを示すスパン値とを記憶し、この後に当該ゼロ点値及びスパン値に基づいてアナログ信号の出力値を算出する制御部と、を具備するという手段を採用する。
【０００９】
本発明では、アナログ信号出力装置に係る第２の解決手段として、上記第１の解決手段において、前記制御部は、前記操作部がアナログ信号出力値手動調整モード遷移指示を受け付けると、アナログ信号出力値手動調整モードへ遷移し、アナログ信号出力値手動調整モードで前記操作部がゼロ点調整モード遷移指示を受け付けると、ゼロ点調整モードに遷移し、前記ゼロ点調整モードに遷移するとゼロ点の変更を許容し、またアナログ信号出力値手動調整モードで前記操作部がスパン調整モード遷移指示を受け付けると、スパン調整モードに遷移し、前記スパン調整モードに遷移するとスパンの変更を許容し、そして、前記操作部がアナログ信号出力値手動調整終了指示を受け付けると、変更されたゼロ点値及びスパン値とを記憶するという手段を採用する。
【００１０】
本発明では、アナログ信号出力装置に係る第３の解決手段として、上記第２の解決手段において、複数のチャネルのアナログ信号を出力することが出来るアナログ信号出力装置であって、前記制御部は、アナログ信号出力値手動調整モードで前記操作部が調整対象チャネル決定指示を受け付けると、決定されたチャネルのアナログ信号の調整を許可し、当該チャネルのアナログ信号のゼロ点及びスパンを、前記操作部が受け付ける前記ゼロ点変更指示及びスパン変更指示に基づいて変更するという手段を採用する。
【発明の効果】
【００１１】
本発明によれば、アナログ信号出力装置が、外部に露出する操作部が受け付けるゼロ点変更指示及びスパン変更指示に基づいてアナログ信号の出力値のゼロ点を示すゼロ値及びスパンを示すスパン値を変更し、この変更されたゼロ点値及びスパン値に基づいてアナログ信号の出力値を算出する制御部を具備する為、ユーザはアナログ信号出力装置の筐体を取り外すことなく、出力するアナログ信号のゼロ点及びスパンを調整を行うことが出来る。
【発明を実施するための最良の形態】
【００１２】
以下、図面を参照して、本発明の一実施形態について説明する。本実施形態は、アナログ信号出力装置に関する。
図１は、本実施形態に係るアナログ信号出力装置Ａによって構成される情報管理システムの構成を示す模式図である。
図１に示すように、この情報管理システムは、アナログ信号出力装置Ａ、アナログ／デジタル信号出力装置Ｂ、アナログ信号入力装置Ｃ、アナログ／デジタル信号入力装置Ｄ、制御処理機器ａ‐１〜ａ‐４，ｂ‐１〜ｂ‐４、フィールド機器ｃ‐１〜ｃ‐４，ｄ‐１〜ｄ‐４及び親局装置Ｅから構成されている。
【００１３】
アナログ信号出力装置Ａは、制御処理機器ａ‐１〜ａ‐４の設置場所に応じて配置され、例えばダム堤体に制御処理機器ａ‐１〜ａ‐４が設置されている場合には、当該ダム堤体に設置された制御処理機器ａ‐１〜ａ‐４の近辺に設けられた、直射日光が当たらずかつ周辺温度及び周辺湿度が許容範囲を超えることのない通信設備室等に収容されている。
このアナログ信号出力装置Ａは、アナログ信号の出力先として制御処理機器ａ‐１〜ａ‐４へ接続し、さらに多重化信号伝送用ケーブルを介して親局装置Ｅとも接続している。このアナログ信号出力装置Ａは、多重化信号伝送用ケーブルを介して親局装置Ｅから入力された入力値（制御指示）に基づいて制御処理機器ａ‐１〜ａ‐４へアナログ信号を出力する。
【００１４】
また、アナログ信号出力装置Ａは、親局装置Ｅと共にアナログ／デジタル信号出力装置Ｂ、アナログ信号入力装置Ｃ及びアナログ／デジタル信号入力装置Ｄとも多重化信号伝送用ケーブルを介して接続している。なお、上記多重化信号伝送用ケーブルは、１対のツイストペアケーブルであり、約２ｋｍまで延長することが出来る。
アナログ／デジタル信号出力装置Ｂは、制御処理機器ｂ‐１〜ｂ‐４に接続し、多重化信号伝送用ケーブルを介して親局装置Ｅと接続する。また、アナログ信号入力装置Ｃ及びアナログ／デジタル信号入力装置Ｄは、それぞれフィールド機器ｃ‐１〜ｃ‐４，ｄ‐１〜ｄ‐４に接続し、アナログ信号出力装置Ａと同様に多重化信号伝送用ケーブルを介して親局装置Ｅと接続する。
【００１５】
アナログ／デジタル信号出力装置Ｂは、親局装置Ｅから入力された入力値（制御指示）に基づいて制御処理機器ｂ‐１〜ｂ‐４へアナログ信号またはデジタル信号を出力し、アナログ信号入力装置Ｃは、フィールド機器ｃ‐１〜ｃ‐４から入力されたアナログ信号を多重化し、この多重化した信号を親局装置Ｅへ送信し、またアナログ／デジタル信号入力装置Ｄは、フィールド機器ｄ‐１〜ｄ‐４から入力されたアナログ信号及びデジタル信号を多重化し、この多重化した信号を親局装置Ｅへ送信する。
【００１６】
制御処理機器ａ‐１〜ａ‐４は、アナログ信号出力装置Ａから入力されたアナログ信号に基づいて雨量、気圧、温度、湿度、風向風速等を記憶する記憶装置であり、制御処理機器ｂ‐１〜ｂ‐４も、アナログ／デジタル信号出力装置Ｂから入力されたアナログ信号またはデジタル信号に基づいて雨量、気圧、温度、湿度、風向風速等を記憶する記憶装置である。フィールド機器ｃ‐１〜ｃ‐４は、雨量計、気圧計、温湿度計、風向風速計等の計測機器であり、計測結果をアナログ信号としてアナログ信号入力装置Ｃへ出力し、フィールド機器ｄ‐１〜ｄ‐４も、雨量計、気圧計、温湿度計、風向風速計等の計測機器であり、計測結果をアナログ信号またはデジタル信号としてアナログ／デジタル信号入力装置Ｄへ出力する。
【００１７】
親局装置Ｅは、アナログ信号出力装置Ａ及びアナログ／デジタル信号出力装置Ｂへ制御指示を出力し、アナログ信号入力装置Ｃ及びアナログ／デジタル信号入力装置Ｄからの情報を表示するデスクトップ型パーソナルコンピュータＥ１と、当該パーソナルコンピュータＥ１と、アナログ信号出力装置Ａ、アナログ／デジタル信号出力装置Ｂ、アナログ信号入力装置Ｃ及びアナログ／デジタル信号入力装置Ｄとの間の通信インタフェース装置として動作する親局インタフェース装置Ｅ２から構成されている。そして、パーソナルコンピュータＥ１と親局インタフェース装置Ｅ２との間の通信は、ＲＳ‐２３２Ｃに準拠して行われる。そして、親局インタフェース装置Ｅ２と、アナログ信号出力装置Ａ、アナログ／デジタル信号出力装置Ｂ、アナログ信号入力装置Ｃ及びアナログ／デジタル信号入力装置Ｄとの間の通信には、多重化技術として時分割サイクリック多重化方式が採用されている。
【００１８】
次に、上記アナログ信号出力装置Ａの外観構成を、図２及び図３を参照して説明する。図２は、本実施形態に係るアナログ信号出力装置Ａの外観構成を示す斜視図であり、図３は、本実施形態に係るアナログ信号出力装置Ａの正面部分の一部を示した正面図である。
この図２に示すように、アナログ信号出力装置Ａは、直方体の筐体１によって各種電子回路が収容されており、アナログ信号出力装置Ａの正面には、入出力表示部２、操作部３及びＩ／Ｏ接続端子部４が設けられている。そして、操作部３は、アドレススイッチ３ａ、ユーティリティスイッチ３ｂ、ファンクションスイッチ３ｃ及びモードスイッチ３ｄから構成されている。
【００１９】
入出力表示部２には、図３に示すように、縦方向に５列かつ横方向に７列のＬＥＤ（Light Emitting Diode）が配置、すなわち３５個のＬＥＤが配置されている。この入出力表示部２における左端の「１」〜「４」の番号は、フィールド機器ａ１〜ａ４それぞれへ出力する各信号、すなわち４チャネル（チャネル「１」〜「４」）の信号のそれぞれに対応し、４チャネルの信号ぞれぞれの信号レベルに応じて「０」，「２５」，「５０」．「７５」，「１００」％のいずれかのＬＥＤが点灯する。また、入出力表示部２に記される「ＰＯＷ」の左隣のＬＥＤは、アナログ信号出力装置Ａの電源が投入される、すなわち稼動時に点灯し、「ＲＤＹ」左隣のＬＥＤは、アナログ信号出力装置Ａが子局として稼動する場合に点灯し、また親局として稼動する場合には点滅する。そして、「ＲＣＶ」の左隣のＬＥＤは、親局装置Ｅから信号の受信時に点灯し、「ＳＮＤ」の左隣のＬＥＤは、親局装置Ｅへの信号の送信時に点灯し、「ＡＬＭ」の左隣のＬＥＤは、アナログ信号出力装置Ａの動作に異常が発生した場合に点灯する。
【００２０】
アドレススイッチ３ａは、左側の上位アドレススイッチ３ａ‐１及び右側の下位アドレススイッチ３ａ‐２から構成されている。ユーザは、上位アドレススイッチ３ａ‐１及び下位アドレススイッチ３ａ‐２を、「０」〜「Ｆ」（１６進数）のいずれかの値に設定し、上位アドレススイッチ３ａ‐１の設定値と下位アドレススイッチ３ａ‐２の組み合わせによってアナログ信号出力装置Ａに割り当てられたアドレスをアナログ信号出力装置Ａに設定する。
ユーティリティスイッチ３ｂは、アナログ信号出力装置Ａに設定されたアドレスの表示指示及びアドレスのリセット指示を受け付ける為のスイッチである。ユーザが、ユーティリティスイッチ３ｂを押下すると、アナログ信号出力装置Ａはアドレスを表示し、また３秒以上押下するとアナログ信号出力装置Ａがリセット動作を実行する。
【００２１】
ファンクションスイッチ３ｃは、アナログ信号出力装置Ａが出力するアナログ信号のチャネル数を設定する為のスイッチである。アナログ信号出力装置Ａは、ファンクションスイッチ３ｃが設定された「０」、「１」、「２」及び「３」〜「Ｆ」の値に応じて出力するアナログ信号のチャネル数が設定される。アナログ信号出力装置Ａでは、ファンクションスイッチ３ｃが、「０」に設定されている場合には、アナログ信号のチャネル数を１つに設定し、「１」に設定されている場合には、アナログ信号のチャネル数を２つに設定し、「２」に設定されている場合には、アナログ信号のチャネル数を３つに設定し、「３」〜「Ｆ」のいずれかに設定されている場合には、アナログ信号のチャネル数を４つに設定する。なお、アナログ信号出力装置Ａでは、フィールド機器ａ１〜ａ４に接続し、出力するアナログ信号が４チャネルである為に、ファンクションスイッチ３ｃが「３」〜「Ｆ」 のいずれかに設定されている。
【００２２】
モードスイッチ３ｄは、スイッチ３ｄ‐１〜３ｄ‐４の４つのスイッチから構成されており、各スイッチが「ＯＮ」または「ＯＦＦ」に設定されることによって、動作における子局／親局設定等の各種設定が行われる。なお、アナログ信号出力装置Ａの通常稼動時には、スイッチ３ｄ‐４は「ＯＦＦ」に設定されている。
Ｉ／Ｏ接続端子部４は、正極側電源端子、負極側電極端子、多重化信号伝送用ケーブルに接続するＸ接続端子、Ｙ接続端子、各制御処理機器ａ１〜ａ４へのアナログ信号、すなわちチャネル「１」〜「４」のアナログ信号を出力する正極側出力端子及び負極側出力端子等の２４の接続端子から構成されている。
【００２３】
次に上記アナログ信号出力装置Ａの機能構成を、図４を参照して説明する。図４は、本実施形態に係るアナログ信号出力装置Ａの機能構成を示す機能ブロック図である。アナログ信号出力装置Ａは、図４に示すように、入出力表示部２、操作部３、ＲＳ-２３２Ｃ通信Ｉ／Ｆ部１１、多重化信号通信Ｉ／Ｆ部１２、アナログ信号出力Ｉ／Ｆ部１３及び制御部１４から構成される。
【００２４】
入出力表示部２は、上記において説明したように３５個のＬＥＤによって構成され、制御部１４の制御の下、各ＬＥＤを点灯、消灯または点滅させる。
操作部３は、上記において説明したようにアドレススイッチ３ａ、ユーティリティスイッチ３ｂ、ファンクションスイッチ３ｃ及びモードスイッチ３ｄから構成されており、これらのスイッチの操作によってユーザから受け付けた操作指示を制御部１４へ出力する。
【００２５】
ＲＳ-２３２Ｃ通信Ｉ／Ｆ部１１は、制御部１４の制御に基づいてパーソナルコンピュータ等の制御装置との間で通信を行う為の通信インタフェースであり、ＲＳ-２３２Ｃに準拠して通信を実行する。なお、アナログ信号出力装置Ａでは、ＲＳ-２３２Ｃ通信Ｉ／Ｆ部１１に制御装置は接続されていない。
【００２６】
多重化信号通信Ｉ／Ｆ部１２は、上記Ｉ／Ｏ接続端子部４における多重化信号伝送用ケーブルに接続するＸ接続端子、Ｙ接続端子等によって構成されており、多重化信号伝送用ケーブルを介してアナログ／デジタル信号出力装置Ｂ、アナログ信号入力装置Ｃ、アナログ／デジタル信号入力装置Ｄ及び親局装置Ｅに接続し、制御部１４の制御の下、このアナログ／デジタル信号出力装置Ｂ、アナログ信号入力装置Ｃ、アナログ／デジタル信号入力装置Ｄ及び親局装置Ｅとの間で各種信号の送受信を行う。
【００２７】
アナログ信号出力Ｉ／Ｆ部１３は、上記Ｉ／Ｏ接続端子部４におけるチャネル「１」〜「４」のアナログ信号を出力する正極側出力端子及び負極側出力端子等から構成されており、フィールド機器ａ１〜ａ４へ接続し、制御部１４の制御の下、このフィールド機器ａ１〜ａ４へアナログ信号を出力する。
【００２８】
制御部１４は、ＣＰＵ（Central Processing Unit）、ＲＯＭ（Read Only Memory）及びＲＡＭ（Random Access Memory）から構成される内部メモリ並びに入出力表示部２、操作部３、ＲＳ-２３２Ｃ通信Ｉ／Ｆ部１１、多重化信号通信Ｉ／Ｆ部１２及びアナログ信号出力Ｉ／Ｆ部１３と信号の入出力をそれぞれ行うインタフェース回路等から構成されており、上記ＲＯＭに記憶された制御プログラム、ＲＳ-２３２Ｃ通信Ｉ／Ｆ部１１と多重化信号通信Ｉ／Ｆ部１２が受信する各種信号及び操作部３が受け付ける操作指示に基づいてアナログ信号出力装置Ａの全体動作を制御する。なお、制御部１４が実行する制御処理の詳細については、以下にアナログ信号出力装置Ａの動作として説明する。
【００２９】
次に、上記構成のアナログ信号出力装置Ａの動作について図５を参照して説明する。図５は、本実施形態に係るアナログ信号出力装置Ａの動作を示すフローチャートである。
制御部１４は、上位アドレススイッチ３ａ‐１及び下位アドレススイッチ３ａ‐２がともに「Ｆ」に設定され、かつモードスイッチ３ｄのスイッチ３ｄ‐４が「ＯＮ」に設定されている場合に、ユーティリティスイッチ３ｂが３秒以上押下されることによって操作部３がアナログ信号出力値手動調整モード遷移指示を受け付けると、アナログ信号出力値手動調整モードに遷移する（ステップＳ１）。
【００３０】
そして、制御部１４は、ステップＳ１の後に、ファンクションスイッチ３ｃが設定された「１」〜「４」それぞれの値に対応したチャネル番号のアナログ信号の手動の調整を許可する。具体的には、制御部１４は、ファンクションスイッチ３ｃが「１」に設定されることによって操作部３が調整対象チャネル「１」決定指示を受け付けると、ユーザによるチャネル「１」のアナログ信号の手動調整を許可する（ステップＳ２）。
【００３１】
そして、制御部１４は、図３に示すように、入出力表示部２にＬＥＤを点灯させることによって、アナログ信号出力値手動調整モードかつ調整対象チャネルがチャネル「１」であること示す表示を行わせる（ステップＳ３）。なお、アナログ信号出力装置Ａの正面部分を説明する為に参照した図３における入出力表示部２は、ステップＳ３において、アナログ信号出力値手動調整モードかつ調整対象がチャネル「１」のアナログ信号である場合に点灯するＬＥＤの一例を示している。図３に示すように、入出力表示部２では、アナログ信号出力値手動調整モードかつチャネル「１」のアナログ信号である場合に、縦１列目の左側２つのＬＥＤが点灯し、かつ入出力表示部２に記された「１」の右隣のＬＥＤが点灯する。
【００３２】
そして、制御部１４は、モードスイッチ３ｄのスイッチ３ｄ‐１が「ＯＦＦ」または「ＯＮ」のいずれに設定されているか判定し（ステップＳ４）、ステップＳ４においてスイッチ３ｄ‐１が「ＯＦＦ」に設定されることによって操作部３がゼロ点調整モード遷移指示を受け付けると、ゼロ点調整モードに遷移してチャネル「１」のアナログ信号のゼロ点調整を許可し（ステップＳ５）、下位アドレススイッチ３ａ‐２が設定される値に応じてゼロ点を変更させたチャネル「１」のアナログ信号をアナログ信号出力Ｉ／Ｆ部１３に出力させる（ステップＳ６）。
【００３３】
ステップＳ６をより詳細に説明すると、制御部１４は、下位アドレススイッチ３ａ‐２が「０」に設定されている場合にはゼロ点の変更を停止させ、「１」に設定されている場合にはゼロ点のインクリメントを行い、「２」に設定されている場合には「１」に設定されている場合よりも倍速でゼロ点のインクリメントを行う。また、制御部１４は、ステップＳ６において、下位アドレススイッチ３ａ‐２が、「Ｆ」に設定されている場合には、ゼロ点のデクリメントを行い、「Ｅ」に設定されている場合には「Ｆ」に設定されている場合よりも倍速でゼロ点のデクリメントを行う。
【００３４】
また、制御部１４は、ステップＳ４においてスイッチ３ｄ‐１が「ＯＮ」に設定されることによって操作部３がスパン調整モード遷移指示を受け付けると、スパン調整モードに遷移してチャネル「１」のアナログ信号のスパン調整を許可し（ステップＳ７）、下位アドレススイッチ３ａ‐２が設定される値に応じてスパンを変更させたチャネル「１」のアナログ信号をアナログ信号出力Ｉ／Ｆ部１３に出力させる（ステップＳ８）。
【００３５】
ステップＳ８において、制御部１４は、上記ステップＳ６と同様に、下位アドレススイッチ３ａ‐２が「０」に設定されている場合には、スパンの変更を停止させ、「１」に設定されている場合にはスパンのインクリメントを行い、「２」に設定されている場合には「１」に設定されている場合よりも倍速でスパンのインクリメントを行う。また、制御部１４は、ステップＳ８において、下位アドレススイッチ３ａ‐２が、「Ｆ」に設定されている場合には、スパンのデクリメントを行い、「Ｅ」に設定されている場合には「Ｆ」に設定されている場合よりも倍速でゼロ点のデクリメントを行う。
【００３６】
そして、制御部１４は、ステップＳ６及びステップＳ８において変更されたゼロ点を示す設定値（ゼロ点値）及びスパンを示す設定値（スパン値）と、擬似入力値を電圧値／電流値換算式へ代入することによって電圧値または電流値を算出し、この電圧値または電流値に基づくアナログ信号をアナログ信号出力Ｉ／Ｆ部１３に出力させる。上記擬似入力値とは、親局装置Ｅからの実際の入力値の代わりの擬似的な値である。
制御部１４は、通常稼動時に、親局装置Ｅからの実際の入力値と、調整済のゼロ値及びスパン値とを、電圧値／電流値換算式に代入することによって電圧値または電流値を算出し、この電圧値または電流値に基づくアナログ信号をアナログ信号出力Ｉ／Ｆ部１３に出力させる。
【００３７】
なお、ユーザは、アナログ信号を調整する際に、アナログ信号出力装置ＡのＩ／Ｏ接続端子部４のチャネル「１」のアナログ信号を出力する正極側出力端子及び負極側出力端子へマルチメータを接続し、マルチメータが表示するチャネル「１」のアナログ信号の計測結果を確認しながら、下位アドレススイッチ３ａ‐２によってゼロ点またはスパンを調整する。
【００３８】
制御部１４は、ステップＳ６またはステップＳ８の後に、ユーティリティスイッチ３ｂが２００ｍｓ以上押下によってアナログ信号出力値手動調整終了指示を操作部３が受け付けたか否か判定し（ステップＳ９）、ステップＳ９において『ＮＯ』と判定した場合には、すなわちアナログ信号出力値手動調整終了指示を操作部３が受け付けていない場合には、ステップＳ４に遷移し、ステップＳ９において『ＹＥＳ』と判定した場合には、すなわちアナログ信号出力値手動調整終了指示を操作部３が受け付けると、ステップＳ６において変更されたゼロ点を示すゼロ点値及びステップＳ８において変更されたスパンを示すスパン値を内部のＲＯＭに記憶させ、アナログ信号出力値手動調整モードを終了し、通常稼動モードに遷移する（ステップＳ１０）。
【００３９】
以上のように、アナログ信号出力装置Ａでは、従来別の目的の為に使用されかつ外部に露出する操作部３によって出力するアナログ信号のゼロ点及びスパンを調整することが出来る為、ユーザはアナログ信号出力装置Ａの筐体１を取り外すことなく、出力するアナログ信号の調整を行うことが出来る。
【００４０】
以上、本発明の一実施形態について説明したが、本発明は上記実施形態に限定されることなく、例えば以下のような変形が考えられる。
（１）上記実施形態のアナログ信号出力装置Ａにおいて、制御部１４が、上位アドレススイッチ３ａ‐１及び下位アドレススイッチ３ａ‐２がともに「Ｆ」に設定され、かつモードスイッチ３ｄのスイッチ３ｄ‐４が「ＯＮ」に設定されている場合に、ユーティリティスイッチ３ｂが３秒以上押下されることによって操作部３がアナログ信号出力値手動調整モード遷移指示を受け付けると、アナログ信号出力値手動調整モードに遷移しているが、アナログ信号出力値手動調整モードに遷移させる為の操作手順は、上記の手順に限定されない。
【００４１】
そして、アナログ信号出力値手動調整モードに遷移すると、ファンクションスイッチ３ｃが設定された値に応じて調整対象のチャネルが決定されるが、調整対象のチャネルを決定するための操作手順も、上記の手順に限定されない。
さらに、モードスイッチ３ｄのスイッチ３ｄ‐１が「ＯＦＦ」または「ＯＮ」のいずれに設定されることにゼロ点調整モードまたはスパン調整モードに遷移したが、ゼロ点調整モードまたはスパン調整モードに遷移する為の操作手順も、上記の手順に限定されない。
【図面の簡単な説明】
【００４２】
【図１】本発明の一実施形態に係るアナログ信号出力装置Ａによって構成される情報管理システムの構成を示す模式図である。
【図２】本発明の一実施形態に係るアナログ信号出力装置Ａの外観構成を示す斜視図である。
【図３】本発明の一実施形態に係るアナログ信号出力装置Ａの正面部分の一部を示した正面図である。
【図４】本発明の一実施形態に係るアナログ信号出力装置Ａの機能構成を示す機能ブロック図である。
【図５】本発明の一実施形態に係るアナログ信号出力装置Ａの動作を示すフローチャートである。
【符号の説明】
【００４３】
Ａ…アナログ信号出力装置、Ｂ…アナログ／デジタル信号出力装置、Ｃ…アナログ信号入力装置、Ｄ…アナログ／デジタル信号入力装置、ａ‐１〜ａ‐４，ｂ‐１〜ｂ‐４…制御処理機器、ｃ‐１〜ｃ‐４，ｄ‐１〜ｄ‐４…フィールド機器、Ｅ…親局装置、Ｅ１…パーソナルコンピュータ、Ｅ２…親局インタフェース装置、１…筐体、２…入出力表示部、３…操作部、３ａ…アドレススイッチ、３ａ‐１…上位アドレススイッチ、３ａ‐２…下位アドレススイッチ、３ｂ…ユーティリティスイッチ、３ｃ…ファンクションスイッチ、３ｄ…モードスイッチ、３ｄ‐１〜３ｄ‐４…スイッチ、４…Ｉ／Ｏ接続端子部、１１…ＲＳ-２３２Ｃ通信Ｉ／Ｆ部、１２…多重化信号通信Ｉ／Ｆ部、１３…アナログ信号出力Ｉ／Ｆ部、１４…制御部
【図１】
2010054291.tif 000003
【図２】
2010054291.tif 000004
【図３】
2010054291.tif 000005
【図４】
2010054291.tif 000006
【図５】
2010054291.tif 000007